(57)【要約】【課題】  内枠壁部と外枠壁部とを有するハンドホール、及びその継枠において、内枠壁部の上端面に嵌着した止水パッキンによる止水効果を確保することである。【解決手段】  上面開口１を形成する側壁部の上端に全周に亘って形成された内枠壁部５と、当該内枠壁部５の外側に形成された外枠壁部６とを有し、前記外枠壁部６は、その上端面に蓋体Ｄ1 を載置した際に、前記内枠壁部５の上端面に嵌着した止水パッキンＰが前記蓋体Ｄ1 により所定圧力で押圧されるように、前記内枠壁部５よりも僅かに高く形成された構成とする。【選択図】  図７
2008187893.tif 000002
【特許請求の範囲】
【請求項１】
上面開口を形成する側壁部の上端に全周に亘って形成された内枠壁部と、当該内枠壁部の外側に形成された外枠壁部とを有し、
前記外枠壁部は、その上端面に蓋体を載置した際に、前記内枠壁部の上端面に嵌着した止水パッキンが前記蓋体により所定圧力で押圧されるように、前記内枠壁部よりも僅かに高く形成されていることを特徴とするハンドホール。
【請求項２】
ハンドホールの上面開口を嵩上げするために、前記上面開口の外側に相互に積重ね可能にして取付けられるハンドホール用継枠であって、
上面開口を形成する内枠壁部と、該内枠壁部の外側に形成された外枠壁部とを有し、
前記外枠壁部は、その上端面に蓋体を載置した際に、前記内枠壁部の上端面に嵌着した止水パッキンが前記蓋体により所定圧力で押圧されるように、前記内枠壁部よりも僅かに高く形成されていることを特徴とするハンドホール用継枠。
【発明の詳細な説明】
【技術分野】
【０００１】
本発明は、地中埋設ケーブル、地中埋設管等の配線・配管材を中継接続する場合等に地中埋設して使用されるハンドホール、及びその上面開口を嵩上げするために使用されるハンドホール用継枠に関するものである。
【背景技術】
【０００２】
ハンドホールは、上面開口を形成する側壁部の上端の内枠壁部と、該内枠壁部の外側に僅かに高くなって設けられた外枠壁部とで水収容空間が形成され、前記内枠壁部又は外枠壁部のいずれか一方に載置された蓋体により前記上面開口が閉塞される箱状のものである（例えば、特許文献１）。また、ハンドホール用継枠は、内枠壁部の外側にこれよりも僅かに高い外枠壁部が一体に設けられることにより、横断面が略Ｕ字状をなして内部に水収容空間が形成されていると共に、全体形状がハンドホールの大きさに対応した枠状をなしており、前記ハンドホールの上面開口を嵩上げするために、前記上面開口の外側の水収容空間の上方に相互に積重ね可能にして取付けられる（例えば、特許文献２，３）。
【０００３】
上記した構成のハンドホール、及びその継枠にあっては、その内枠壁部の上端面に蓋体を載置する際に、前記外枠壁部が蓋体の側端面に当接するガイドとして機能するために、金属等で製作されて重量の大きな蓋体であっても、一人で持ち上げてハンドホールの上面開口に位置合せした状態で載置する作業を一人で行うことが可能となる。そして、ハンドホールの上面開口が蓋体で閉塞された状態では、蓋体は、内枠壁部の上端面を覆うようにして嵌着された止水パッキンの上に載置されて、この部分が止水されることにより、ハンドホール内に水が浸入するのを防止している。
【０００４】
しかし、前記蓋体は、その内径寸法は規格により定められているが、外側寸法（外形）はメーカーにより様々で、大きなものから小さなものまで種々存在する。このため、外側寸法の大きな蓋体は、ハンドホール又はその継枠の外枠壁部内に収まらず、外枠壁部の上端面に載置されることがあった。この場合には、内枠壁部と外枠壁部の高さの差によって、外枠壁部に支持されている蓋体は、内枠壁部の上端面を覆うようにして嵌着された止水パッキンに接触せずに、両者の間に所定の隙間が生じて、止水機能が奏されないという問題があった。
【０００５】
なお、内枠壁部と同様にして、外枠壁部の上端に、これを覆うようにして止水パッキンを嵌着して、この止水パッキンを蓋体により押圧することが考えられるが、蓋体の外縁部には、ボルト等が挿通される挿通孔が形成されていることが多くて、前記挿通孔が外枠壁部よりも内側に配置されることが多いため、この挿通孔を通ってハンドホール内に水が浸入する恐れがある。このため、ハンドホール、又はその継枠においては、止水は内枠壁部で行う必要がある。
【０００６】
即ち、ハンドホール、又はその継枠において、外枠壁部は、ハンドホールの上面開口を閉塞する蓋体を載置する際に、蓋体のガイド機能を果たすために作業性は大幅に高められるが、外枠壁部を超える大きさの蓋体の場合には、止水作用が妨げられるという問題があった。
【特許文献１】特開２００１−１１９８４４号公報
【特許文献２】特開平１０−２２４９７５号公報
【特許文献３】特開平１１−２０５９８３号公報
【発明の開示】
【発明が解決しようとする課題】
【０００７】
本発明の課題は、内枠壁部と外枠壁部とを有するハンドホール、及びその継枠において、内枠壁部の上端面に嵌着した止水パッキンによる止水効果を確保することである。
【課題を解決するための手段】
【０００８】
上記の課題を解決するための請求項１の発明は、上面開口を形成する側壁部の上端に全周に亘って形成された内枠壁部と、当該内枠壁部の外側に形成された外枠壁部とを有し、前記外枠壁部は、その上端面に蓋体を載置した際に、前記内枠壁部の上端面に嵌着した止水パッキンが前記蓋体により所定圧力で押圧されるように、前記内枠壁部よりも僅かに高く形成されていることを特徴としている。
【０００９】
請求項１の発明によれば、内枠壁部の外側に設けられた外枠壁部の上端面に蓋体を載置した状態で、内側の内枠壁部の上端面に嵌着した止水パッキンが所定圧力で押圧されて圧縮変形される構成である。即ち、蓋体の全荷重が止水パッキンに作用する構成ではないので、長期の使用によっても、止水パッキンの最大圧縮変形量は定められていて過度に圧縮されず、長期間に亘って良好な止水性能を維持できる。
【００１０】
また、請求項２の発明は、ハンドホールの上面開口を嵩上げするために、前記上面開口の外側に相互に積重ね可能にして取付けられるハンドホール用継枠であって、上面開口を形成する内枠壁部と、該内枠壁部の外側に形成された外枠壁部とを有し、前記外枠壁部は、その上端面に蓋体を載置した際に、前記内枠壁部の上端面に嵌着した止水パッキンが前記蓋体により所定圧力で押圧されるように、前記内枠壁部よりも僅かに高く形成されていることを特徴としている。
【００１１】
請求項２の発明においても、ハンドホールの上面開口を嵩上げするために、前記上面開口の外側に、請求項２の発明に係るハンドホール用継枠を相互に積重ね可能にして取付けて、当該ハンドホール用継枠の上面開口を閉塞するために、当該ハンドホール用継枠の外枠壁部に蓋体を載置した場合には、蓋体の全荷重が内枠壁部の上端面に嵌着した止水パッキンに作用する構成ではないので、請求項１の発明と同様の作用効果が奏される。
【発明の効果】
【００１２】
本発明によれば、ハンドホール又はハンドホール用継枠の上面開口を閉塞するために、当該ハンドホール又はハンドホール用継枠の外枠壁部に蓋体を載置した場合には、蓋体の全荷重が内枠壁部の上端面に嵌着した止水パッキンに作用する構成ではないので、長期の使用によっても、止水パッキンの最大圧縮変形量は定められていて過度に圧縮されず、長期間に亘って良好な止水性能を維持できる。
【発明を実施するための最良の形態】
【００１３】
以下、複数の実施形態を挙げて、本発明について更に詳細に説明する。なお、以下の説明において、「規格の大きさの蓋体」又は「規格品の蓋体」とは、ガイド壁部を切除せずに載置できる外側寸法（外形）を有する蓋体のことを示し、「規格よりも大きな蓋体」とは、ガイド壁部を切除しないと載置できない外側寸法（外形）を有する蓋体のことを示す。図１は、本発明の第１参考例のハンドホールＡ1 と規格の大きさの蓋体Ｄ1 との分離状態の斜視図であり、図２は、ハンドホールＡ1 の平面図であり、図３は、ハンドホールＡ1 の上面開口１が規格の大きさの蓋体Ｄ1 で覆われる状態の部分斜視図であり、図４は、同じく部分拡大断面図（図２のＵ1 −Ｕ1 線拡大断面図）であり、図５は、ハンドホールＡ1 の上面開口１が規格よりも大きな蓋体Ｄ2 で覆われる状態の部分斜視図であり、図６は、同じく部分拡大断面図（図２のＵ1 −Ｕ1 線拡大断面図）であり、図７は、図２のＵ2 −Ｕ2 線拡大断面図である。
【００１４】
図１ないし図７において、ハンドホールＡ1 は、四角形の箱状を呈していて、その上面開口１（図４参照）は、規格の大きさの蓋体Ｄ1 及び規格よりも大きな蓋体Ｄ2 によりそれぞれ閉塞され、その内部空間は、仕切板２により複数に分割可能な配線・配管材（図示せず）の収容空間３となっている。ハンドホールＡ1 は、熱可塑性合成樹脂で成形されていて、側壁部４の上端部は、その上端面５ａに止水パッキンＰが嵌着される内枠壁部５となっており、前記内枠壁部５の外側には、所定間隔をおいて外枠壁部６が底板部７を介して一体に形成され、内枠壁部５と外枠壁部６と底板部７とで形成される断面略Ｕ字状の部分は、雨水等を一時的に収容するための水収容空間８となっている。外枠壁部６は、後述するように、内枠壁部５よりも僅かに高く形成されていると共に、その下端は底板部７よりも遥かに下方まで延設されていて、外枠壁部６の下端部には、外方に向けて浮上防止板部９が水平となって一体に形成されている。
【００１５】
また、ハンドホールＡ1 の側壁部４の上端の内枠壁部５の各コーナー部は、面取り状に形成されていると共に、外枠壁部６の各コーナー部は、その対角線に沿った外方に大きく突出しており、これに対応して前記底板部７も大きく対角線に沿った外方に突出している。外枠壁部６の各コーナー部の突出部１１は、外枠壁部６の対角線と平行な一対の平行板部１１ａと、該一対の平行板部１１ａの外端部を互いに連結していて、内枠壁部５のコーナー部と略相似形状となったコーナー連結部１１ｂとで構成されている（図３参照）。外枠壁部６は、その各コーナー部の突出部１１を含めて、内枠壁部５よりも僅かに高くなっていて、連続して上端面を形成しているが、突出部１１の各コーナー連結部１１ｂのみは、外枠壁部６の他の部分よりも上方に突出して形成されて、ハンドホールＡ1 の上面開口１を蓋体Ｄ1 ，Ｄ2 で閉塞する際において、規格の大きさの蓋体Ｄ1 が使用される場合には、これを位置決めしてガイドすると共に、規格よりも大きな蓋体Ｄ2 が使用される場合には切除されるガイド壁部１２となっている。即ち、ガイド壁部１２は、外枠壁部６の更に外側に所定間隔をおいて配置された状態で、外枠壁部６の上端面６ａの延長平面よりも上方に向けて立設されていると共に、ガイド壁部１２は、周方向に沿って部分的に設けられている。
【００１６】
また、水収容空間８を形成する底板部７には、周方向に沿って所定間隔をおいて複数の排水孔１４が形成されている。図２及び図４に示されるように、外枠壁部６の突出部１１においては、そのコーナー連結部１１ｂに近接して排水孔１４が形成されていると共に、底板部７における内枠壁部５の各コーナー部の外側の部分は、他の部分よりも厚肉に形成されて、該厚肉部には、ハンドホールＡ1 の上面開口１を閉塞する蓋体Ｄ1 ，Ｄ2 を、ハンドホールＡ1 に対して固定する固定ボルト１５と螺合されるナット１６が埋設されている。底板部７におけるナット１６の直上の部分には、固定ボルト１５の挿通孔２０が設けられている。また、外枠壁部６と浮上防止板部９とは、外枠壁部６の各辺の長手方向の中央部、及びその各コーナー部において補強リブ１７で連結されている。更に、ハンドホールＡ1 の側壁部４の内周面には、その収容空間３を仕切る仕切板２を係止可能な係止溝を形成する一対一組の複数組の係止突条１８が上下方向に沿って形成されていると共に、ハンドホールＡ1 の底壁部１９（図２及び図１１参照）の内面には、前記仕切板２の下端部を係止させる係止溝を形成する係止突条２１が、仕切板２の全ての配置位置に対応可能にして設けられている。なお、図１において２２は、ハンドホールＡ1 の側壁部４の外側に上下方向に形成された補強リブを示す。
【００１７】
一方、蓋体Ｄ1 は、ハンドホールＡ1 の大きさに対応した規格品であって、ハンドホールＡ1 の外枠壁部６の上端面６ａ（図７参照）に載置される方形状の蓋受け体Ｄ11と、該蓋受け体Ｄ11の中心部の円形開口２３を閉塞する円形の蓋体本体Ｄ12とで構成される。方形状をした蓋受け体Ｄ11の各コーナー部には、固定ボルト１５を挿通するためのボルト挿通孔３０が形成されている。
【００１８】
ハンドホールＡ1 は、後述するハンドホール用継枠Ｃ1 の使用状態の説明箇所に述べられているように、その側壁部４に貫通孔２４（図１参照）を穿孔して、該貫通孔２４に連結具２５を介して配線・配管材を挿通して保護する保護管２６を接続した状態で、地中の所定深さの位置に捨てコンクリートを打設して形成された設置部２７（図１１参照）に設置されて埋設される。図１に示される例では、ハンドホールＡ1 の内部の収容空間３は、仕切板２で二分割されていて、各分割収容空間を形成する側壁部４に、それぞれ保護管２６が連結具２５を介して直線状に連結されており、各保護管２６から引き出された配線・配管材（図示せず）は、それぞれ二分割された各分割収容空間３内に配線・配管される。
【００１９】
そして、図１ないし図４で示される例では、設置部２７に設置されて地中埋設されたハンドホールＡ1 の上面開口１は、規格の大きさの蓋体Ｄ1 により閉塞される。規格品の蓋体Ｄ1 によりハンドホールＡ1 の上面開口１を閉塞する際には、蓋体Ｄ1 （正確には、蓋受け体Ｄ11）の外周縁部は、図７に示されるように、外枠壁部６よりも外側に所定幅だけ突出しているために、この突出部Ｄ11ａを手で把持することが可能であると共に、ハンドホールＡ1 に対する蓋体Ｄ1 の配置位置は、ハンドホールＡ1 の外枠壁部６の各コーナー部に形成された各ガイド壁部１２を目安にして行えるために、蓋体Ｄ1 の配置作業が容易となる。
【００２０】
ここで、図４及び図７に示されているように、内枠壁部５の上端面５ａには、止水パッキンＰが嵌着されていて、外枠壁部６は、内枠壁部５に対して、該外枠壁部６に載置される蓋体Ｄ1 により前記内枠壁部５の上端面５ａに嵌着された止水パッキンＰが押圧され得る寸法差を有して、前記内枠壁部５よりも僅かに高くなっている〔図７及び図１３において、内枠壁部５と外枠壁部６との高低差が（Ｈ0)で示されている〕。蓋体Ｄ1 の載置初期においては、止水パッキンＰの圧縮変形量は少なくて、図４で二点鎖線で示されるように、蓋体Ｄ1 は、止水パッキンＰの部分にのみ載置されていて、外枠壁部６の上端面６ａに対しては非接触となっているが、時間の経過により、止水パッキンＰの圧縮変形量が徐々に大きくなって、蓋体Ｄ1 は、外枠壁部６の上端面６ａに載置されて支持される。このため、本実施形態では、止水パッキンＰの最大圧縮変形量は定められているため、ハンドホールＡ1 内に水が浸入するのを防止する止水機能を果たした状態で、止水パッキンＰが過度に圧縮変形されるのが防止される独自の利点がある。換言すれば、止水パッキンＰを止水に必要な量だけ圧縮させて、これ以上の圧縮を防止することにより、止水パッキンＰに必要以上の負担をかけることなく止水可能となる。このようにして、外枠壁部６の上端面６ａに載置された蓋体Ｄ1 は、各コーナー部のボルト挿通孔３０に挿通された固定ボルト１５が、ハンドホールＡ1 の底板部７に埋設されたナット１６に螺合されることにより、ハンドホールＡ1 に対して固定される。
【００２１】
一方、規格よりも大きな蓋体Ｄ2 を使用する場合には、図５及び図６に示されるように、蓋体Ｄ2 は、外枠壁部６の各コーナー部に設けられた各ガイド壁部１２と干渉して、そのままでは載置不能である。そこで、外枠壁部６の上端面６ａが各突出部１１を含めて全周に亘って同一面となるように、各ガイド壁部１２を切除する。これにより、蓋体Ｄ2 は、図６に示されるように、外枠壁部６の上端面６ａに載置可能となって、止水パッキンＰは、上記した蓋体Ｄ1 の場合と全く同様に圧縮変形されて、止水機能が発揮される。また、蓋体Ｄ2 の各コーナー部に設けられたボルト挿通孔３０に挿通された固定ボルト１５と、ハンドホールＡ1 の底板部７に埋設されたナット１６との螺合により、ハンドホールＡ1 に対して蓋体Ｄ2 が固定される構造も、前記蓋体Ｄ1 と全く同様である。
【００２２】
このため、地中埋設されて、その上面開口１が蓋体Ｄ1(Ｄ2)で閉塞されたハンドホールＡ1 は、その内枠壁部５の上端面５ａに嵌着された止水パッキンＰにより止水されて、内枠壁部５の部分からハンドホールＡ1 内に雨水等が浸入するのを確実に防止できる。なお、ハンドホールＡ1 の周辺の雨水等は、水収容空間８に一時的に収容された後に、排水孔１４を通って下方の土中に排水される。
【００２３】
ここで、ハンドホールＡ1 の内枠壁部５及び外枠壁部６の上端面の高低差（Ｈ0)は、止水パッキンＰの厚さ、及びその圧縮変形量との関係により最適な止水機能が発揮され得るように定められるものであり、上記実施形態のように、蓋体Ｄ1(Ｄ2)は、外枠壁部６の上端面６ａに載置された状態で止水パッキンＰが圧縮変形されることが止水安定性が高まる点、及び外枠壁部６と蓋体Ｄ1(Ｄ2)の間から雨水等が内部浸入しなくなる点等において望ましいが、蓋体Ｄ1(Ｄ2)は、外枠壁部６の上端面６ａに載置されることなく、内枠壁部５の上端面５ａに嵌着した止水パッキンＰを圧縮変形した状態で、これに直接に支持された構成にしてもよい。
【００２４】
引き続いて、上記したハンドホールＡ1 の上面開口１を嵩上げするのに、ハンドホールＡ1 の上面開口１の外側の水収容空間８の上方に相互に積み重ねて使用されるハンドホール用継枠Ｃ1 について説明する。図８は、本発明の第１参考例のハンドホール用継枠Ｃ1 の一部を破断した斜視図であり、図９（イ）は、同じく平面図であり、同（ロ）は、同（イ）のＶ−Ｖ線矢視図であり、図１０は、継枠Ｃ1 を二段重ねにして上面開口１を嵩上げしたハンドホールＡ1 の斜視図であり、図１１は、同じく地中埋設された状態の断面図であり、図１２は、同じくコーナー部を対角線に沿って破断した部分拡大断面図〔図９のＷ1 −Ｗ1 線拡大断面図〕であり、図１３は、継枠Ｃ1 を二段重ねにした状態の各辺の部分の拡大断面図〔図９のＷ2 −Ｗ2 線拡大断面図〕である。
【００２５】
ハンドホール用継枠Ｃ1 は、方形枠状を呈していて、前記ハンドホールＡ1 の水収容空間８が形成されている部分、即ち、内枠壁部５と外枠壁部６と底板部７の部分を抽出して、その底面に前記水収容空間８の内側に嵌合される嵌合部３１が下方に延設された形状に近似した全体形状を有していると共に、継枠Ｃ1 の平面形状は、ハンドホールＡ1 の上端部の形状とほぼ同一となっている。即ち、継枠Ｃ1 は、内枠壁部３２と、外枠壁部３３と、各壁部３２，３３を下端部で連結する底板部３４と、該底板部３４の底面から下方に延設された前記嵌合部３１とで構成されていて、ハンドホールＡ1 の水収容空間８の部分よりも縦長の断面略Ｕ字状となっている。継枠Ｃ1 の内枠壁部３２と外枠壁部３３とは、いずれもハンドホールＡ1 の内枠壁部５及び外枠壁部６よりも高さが高くなっている（実施形態では、約２倍となっている）が、内枠壁部３２と外枠壁部３３との高さの差は、ハンドホールＡ1 の内枠壁部５及び外枠壁部６の高さの差（Ｈ0)と同一となっていて（図１３参照）、内枠壁部３２と外枠壁部３３と底板部３４とで形成される空間は、ハンドホールＡ1 の水収容空間８に対応する水収容空間３５となっている。
【００２６】
また、継枠Ｃ1 の各コーナー部は、ハンドホールＡ1 の上端部の各コーナー部と同様にして、対角線に沿った外側に突出して突出部３６が形成されていて、各突出部３６には、ハンドホールＡ1 と同様に上方に突出したガイド壁部３７がそれぞれ形成されている。また、図１２及び図１３に示されるように、継枠Ｃ1 の底板部３４におけるハンドホールＡ1 の排水孔１４に対応する位置には、それぞれ排水孔３８が嵌合部３１を貫通して上下方向に形成されていると共に、図１２に示されるように、底板部３４における内枠壁部３２の各コーナー部の外側であって、ハンドホールＡ1 のナット１６の埋設位置と対応する位置には、継枠用の固定ボルト１５を挿通するためのボルト挿通孔３９が貫通して形成されている。更に、継枠Ｃ1 は、ハンドホールＡ1 の上端部の水収容空間８に対して嵌合部３１が嵌合可能であると共に、継枠Ｃ1 同士も、一方の継枠Ｃ1 の水収容空間３５に他方の継枠Ｃ1 の嵌合部３１が全周に亘って嵌合可能な構造となっているために、継枠Ｃ1 の各コーナー部においては、前記嵌合部３１は、突出部３６に対して僅かに小形の相似形となっている。また、方形枠状の継枠Ｃ1 の中央部には、ハンドホールＡ1 の上面開口１に対応する方形開口４０が形成されている。内外の各枠壁部３２，３３の各辺の中央部は、連結板部４４で相互に連結されて補強されている。
【００２７】
そして、上記した継枠Ｃ1 を使用して、ハンドホールＡ1 の上面開口１を嵩上げして、最上段の継枠Ｃ1 に形成された上面開口１を規格の大きさの蓋体Ｄ1 、或いは規格よりも大きな蓋体Ｄ2 で閉塞するには、以下のようにして行う。図１０ないし図１３に示される実施形態では、継枠Ｃ1 を二段重ねにして、ハンドホールＡ1 の上面開口１を嵩上げした使用例である。即ち、ハンドホールＡ1 の側壁部４の上端部の外側に形成された水収容空間８に下段の継枠Ｃ1 の嵌合部３１を嵌合すると共に、下段の継枠Ｃ1 の水収容空間３５に、上段の継枠Ｃ1 の嵌合部３１を嵌合して、ハンドホールＡ1 の水収容空間８の上方に継枠Ｃ1 を二段重ねにすると、図１３に示されるように、ハンドホールＡ1 の上面開口１は、継枠Ｃ1 の突出部３６を除く部分の高さの２倍に相当する高さ（Ｈ1)だけ嵩上げされる。この状態では、上段の継枠Ｃ1 によって、ハンドホールＡ1 の上端部に形成された内外の各枠壁部５，６と高低差を含めて同一構造の内外の各枠壁部３２，３３が形成される。
【００２８】
上段の継枠Ｃ1 の方形開口４０が、ハンドホールＡ1 の上面開口１となって嵩上げされ、継枠Ｃ1 により嵩上げされた上面開口１を規格の蓋体Ｄ1 で閉塞するには、前記実施形態においてハンドホールＡ1 に直接に形成された上面開口１を蓋体Ｄ1 で閉塞するのと全く同様にして行う。即ち、上段の継枠Ｃ1 の内枠壁部３２の上端面３２ａに止水パッキンＰを嵌着して、外枠壁部３３の上端面３３ａに蓋体Ｄ1 を載置し、この状態で各継枠Ｃ1 及びハンドホールＡ1 の各コーナー部において、蓋体Ｄ1 のボルト挿通孔３０と、各継枠Ｃ1 のボルト挿通孔３９とに固定ボルト１５を挿通して、その下端部を、ハンドホールＡ1 の各コーナー部の底板部７に埋設されたナット１６と螺合させる。これにより、蓋体Ｄ1 と上下二段の各継枠Ｃ1 は、いずれもハンドホールＡ1 に対して固定されて、上段の継枠Ｃ1 の内枠壁部３２が止水パッキンＰにより止水される。上段の継枠Ｃ1 に蓋体Ｄ1 を載置する際に、各コーナー部のガイド壁部３７が上段の継枠Ｃ1 に対する蓋体Ｄ1 のガイド機能（位置決め機能）を果たすために、蓋体Ｄ1 の載置作業が容易になることは、前述したハンドホールＡ1 の外枠壁部６の上端面６ａに対して直接に蓋体Ｄ1 を載置する場合と全く同様である。また、上段の継枠Ｃ1 の水収容空間３５に収容された水は、その底板部３４に形成された排水孔３８を通って下段の継枠Ｃ1 の水収容空間３５に落下収容された後に、ハンドホールＡ1 の水収容空間８に落下収容されて、この水収容空間８の排水孔１４において土中に排水される。
【００２９】
一方、規格よりも大きな蓋体Ｄ2 を使用して、嵩上げされたハンドホールＡ1 の上面開口１を閉塞する場合にも、ハンドホールＡ1 の外枠壁部６の上端面６ａに載置する場合と全く同様にして、蓋体Ｄ2 と干渉する関係にあって、上段の継枠Ｃ1 の各コーナー部に形成された各ガイド壁部３７を切除して、図１２で二点鎖線で示されるように、各コーナー部の突出部３６を含めて外枠壁部３３の上端面３３ａの全周に対して蓋体Ｄ1 を載置して行う。
【００３０】
次に、本発明の第２参考例のハンドホールＡ2 と、このハンドホールＡ2 の上面開口１’を嵩上げするためのハンドホール用継枠Ｃ2 について説明する。ここで、ハンドホールＡ2 と前記ハンドホールＡ1 とは、地中埋設される配線・配管材を中継接続するために地中埋設されて使用される点、及び規格よりも大きな蓋体が使用される場合には、上端部の外枠壁部６（６')の各コーナー部に上方に突設されたガイド壁部１２（１２')を切除して、外枠壁部６（６')の上端面に規格よりも大きな蓋体Ｄ2(Ｄ4)を載置可能にする点において構成上共通しており、両ハンドホールＡ2 ，Ａ1 の相違点は、前記ハンドホールＡ1 では外枠壁部６の各コーナー部が対角線に沿って外側に突出しているのに対して、ハンドホールＡ2 では外枠壁部６’が突出していない点である。上記の共通点、及び相違点は、ハンドホール用継枠Ｃ2 と前記したハンドホール用継枠Ｃ1 に関しても全く同様である。従って、本発明の第２参考例のハンドホールＡ2 及びハンドホール用継枠Ｃ2 の説明に際して、前記第２参考例のハンドホールＡ1 及びハンドホール用継枠Ｃ1 と同一又は同等機能を有する部分には、同一符号に「’」を付し、両者の異なる部分を主体にして説明して、既述と同一内容の部分は、図示のみ行うこととする。
【００３１】
図１４は、本発明の第２参考例のハンドホールＡ2 と第２参考例のハンドホール用継枠Ｃ2 と規格の大きさの蓋体Ｄ3 との分解斜視図であり、図１５は、ハンドホールＡ2 の平面図であり、図１６は、ハンドホールＡ2 の上面開口１’が規格の大きさの蓋体Ｄ3 で覆われた状態の部分斜視図であり、図１７は、同じく部分拡大断面図（図１５のＸ1 −Ｘ1 線拡大断面図）であり、図１８は、ハンドホールＡ2 の上面開口１’が規格よりも大きな蓋体Ｄ4 で覆われた状態の部分斜視図であり、図１９は、同じく部分拡大断面図（図１５のＸ1 −Ｘ1 線拡大断面図）であり、図２０は、図１５のＸ2 −Ｘ2 線拡大断面図である。
【００３２】
ハンドホールＡ2 は、側壁部４’の上端部の内枠壁部５’の外側に所定の間隔をおいて外枠壁部６’が形成されていて、内枠壁部５’と外枠壁部６’と内外の各枠壁部５’，６’を連結する底板部７’とで形成される空間は、水収容空間８’となっている。図２０に示されるように、外枠壁部６’の上端面６ａ’は、内枠壁部５’の上端面５ａ’よりも（Ｈ0)だけ高く形成され、内枠壁部５’の上端面５ａ’には、止水パッキンＰ’が嵌着される。また、ハンドホールＡ2 が前記ハンドホールＡ1 と同一サイズ（例えば、上面開口１，１’の大きさが同じ）とした場合には、ハンドホールＡ2 の内外の各枠壁部５’，６’の間隔は、前記ハンドホールＡ1 の内外の各枠壁部５，６の間隔よりも遥かに大きくなっている。これは、ハンドホールＡ2 においては、規格の大きさの蓋体Ｄ3 は、外枠壁部６’の大きさよりも小さくなっていて、内枠壁部５’の上端面５ａ’に嵌着された止水パッキンＰ’の部分のみで支持されて、規格よりも大きな蓋体Ｄ4 は、外枠壁部６’の上端面６ａ’で支持されると共に、この支持状態において、内枠壁部５’の上端面５ａ’に嵌着された止水パッキンＰ’を押圧して圧縮変形させる構成になっているためである。
【００３３】
また、ハンドホールＡ2 を構成する外枠壁部６’の各コーナー部は、前記ハンドホールＡ1 と異なって対角線に沿った外方には突出しておらず、通常のコーナー部のように円弧状をなしていて、円弧状の各コーナー部は、他の部分よりも上方に突出していて、内枠壁部５の上端面５ａ’に嵌着された止水パッキンＰ’の上に直接に規格の蓋体Ｄ3 を位置決めしながら載置する際のガイド機能（位置決め機能）を果たすガイド壁部１２’となっている。即ち、ガイド壁部１２’は、外枠壁部６’の各コーナー部において、その上端面６ａ’に対して立設された形状となっている。
【００３４】
このため、ハンドホールＡ2 の上面開口１’を規格の大きさの蓋体Ｄ3 により閉塞する際には、図１６及び図１７に示されるように、外枠壁部６’の各コーナー部に形成されたガイド壁部１２’を目安として、これにガイドされながら位置決めを行って、内枠壁部５’の上端面５ａ’に嵌着された止水パッキンＰ’の上に直接に蓋体Ｄ3 を載置して、蓋体Ｄ3 の全荷重を前記止水パッキンＰ’の部分で支持させる。これにより、図１５に示されるように、蓋体Ｄ3 の周縁は、内外の各枠壁部５’，６’の間の水収容空間８’の上方に配置される。内枠壁部５’の上端面５ａ’に嵌着した止水パッキンＰ’の上に蓋体Ｄ3 を位置決めして載置した後に、蓋体Ｄ3 の各コーナー部に形成された各ボルト挿通孔３０’に固定ボルト１５’をそれぞれ挿通して、その直下のハンドホールＡ2 の底板部７’に埋設された各ナット１６’に螺合させて締め上げると、その締上力により前記止水パッキンＰ’の上端の水平部が圧縮変形されて、ハンドホールＡ2 の上面開口１’は、規格の蓋体Ｄ3 により閉塞されると共に、前記上面開口１’の周縁の内枠壁部５’の上端は、止水パッキンＰ’により全周に亘って止水される。
【００３５】
また、ハンドホールＡ2 の上面開口１’を規格よりも大きな蓋体Ｄ4 により閉塞する際には、図１８及び図１９に示されるように、蓋体Ｄ4 の各コーナー部とハンドホールＡ2 の上端部の各コーナー部に設けられたガイド壁部１２’とが干渉して、ハンドホールＡ2 の外枠壁部６’の上端面６ａ’に蓋体Ｄ4 を載置できないので、前記ガイド壁部１２’を切除する。これにより、ハンドホールＡ2 の外枠壁部６’の上端面６ａ’に蓋体Ｄ4 を載置すると、内枠壁部５’の上端面５ａ’に嵌着されている止水パッキンＰ’は、押圧されて圧縮変形する。これにより、ハンドホールＡ2 の上面開口１’が規格よりも大きな蓋体Ｄ4 により閉塞されると共に、前記上面開口１’の周縁の内枠壁部５’の上端は、止水パッキンＰ’により全周に亘って止水される。
【００３６】
次に、ハンドホールＡ2 の上面開口１’を嵩上げするためのハンドホール用継枠Ｃ2 について説明する。図２１は、ハンドホール用継枠Ｃ2 の斜視図であり、図２２（イ）は、同じく平面図であり、同（ロ）は、同（イ）のＹ−Ｙ線断面図であり、図２３は、ハンドホール用継枠Ｃ2 を二段重ねにして上面開口１’が嵩上げされたハンドホールＡ2 のコーナー部の対角線方向に沿った部分拡大断面図〔図２２（イ）のＺ1 −Ｚ1 線部分拡大断面図〕であり、図２４は、同じく各辺の部分の拡大断面図〔図２２（イ）のＺ2 −Ｚ2 線部分拡大断面図〕である。
【００３７】
ハンドホール用継枠Ｃ2 は、図２１ないし図２４に示されるように、方形枠状を呈していて、前記ハンドホールＡ2 の水収容空間８’が形成されている部分、即ち、内枠壁部５’と外枠壁部６’と底板部７’の部分を抽出して、これを上下方向に延設して、その底面にハンドホールＡ2 の水収容空間８’の内側に嵌合される嵌合部３１’が下方に延設された形状に近似した全体形状を有していると共に、継枠Ｃ2 の平面形状は、ハンドホールＡ2 の上端部の形状とほぼ同一となっている。内枠壁部３２’と外枠壁部３３’とが対向していて、その下端部は、嵌合部３１’を構成する底板部３４’で連結されて、内枠壁部３２’と外枠壁部３３’と底板部３４’とで形成される空間は、上端部に段差が設けられた水収容空間３５’となっている。
【００３８】
内枠壁部３２’の上端部の内側には、ハンドホールＡ2 の内枠壁部５と同一厚を形成するような段差部４１が形成されていると共に、内枠壁部３２’の下端部の外側には、嵌合部３１’を設けるための段差部４２が形成されている。また、外枠壁部３３’の高さ方向の中央部には、図２３及び図２４に示されるように、ハンドホールＡ2 の上端コーナー部の各ガイド壁部１２’に対して上方より当接させると共に、ハンドホール用継枠Ｃ2 を段重ねさせる際に、相互に当接させるための段差部４３が形成されている。内枠壁部３２’の内側には、ハンドホールＡ2 の上面開口１’に対応する方形開口４０’が形成されている。
【００３９】
また、ハンドホール用継枠Ｃ2 の外枠壁部３３’の各コーナー部には、ハンドホールＡ2 のガイド壁部１２’に対応するカイド部３７’が形成されている。このハンドホール用継枠Ｃ2 においては、前記ハンドホール用継枠Ｃ1 に比較して、内外の各枠壁部３２’，３３’の間隔が広いために、各枠壁部３２’，３３’の各辺の長手方向の中央部において、補強と変形防止とを兼用した連結板部４４’で連結されている。
【００４０】
このため、図２３及び図２４に示されるように、ハンドホールＡ2 の水収容空間８’にハンドホール用継枠Ｃ2 の嵌合部３１’を嵌合させ、更に下段の継枠Ｃ2 の水収容空間３５’に上段の継枠Ｃ2 の嵌合部３１’を嵌合させて、ハンドホールＡ2 の上端部に継枠Ｃ2 を二段にして積み重ねると、ハンドホールＡ2 の上面開口１’は、継枠Ｃ2 の嵌合部３１’を除く高さの２倍の（Ｈ2)だけ嵩上げされる。また、上段の継枠Ｃ2 の内枠壁部３２’の上端面３２ａ’に止水パッキンＰ’が嵌着される（図２４参照）。
【００４１】
そして、嵩上げされたハンドホールＡ2 の上面開口１’を正規の蓋体Ｄ3 により閉塞する場合には、嵩上げしないハンドホールＡ2 の上面開口１’を直接に閉塞するのと同様にして、継枠Ｃ2 の内枠壁部３２’に嵌着された止水パッキンＰ’の上に直接に蓋体Ｄ3 を載置する。一方、正規よりも大きな蓋体Ｄ4 により閉塞する場合には、図２４に示されるように、継枠Ｃ2 の各コーナー部のガイド壁部３７’を切除して、外枠壁部３３’の上端面３３ａ’に蓋体Ｄ4 を載置して、その内側の内枠壁部３２’に嵌着された止水パッキンＰ’を押圧させて、嵩上げされたハンドホールＡ2 の上面開口１’を閉塞すると共に、前記上面開口１’の周縁の内枠壁部５’の上端を止水パッキンＰ’により全周に亘って止水する。
【００４２】
また、上記ハンドホールＡ2 及びハンドホール用継枠Ｃ2 において、ガイド壁部１２’，３７’の形成位置は、蓋体載置の作業性向上の観点からは、コーナー部であることが望ましいが、各辺の部分、好ましくは、その長手方向の中央部に形成することも可能である。
【００４３】
そして、本発明は、上記したハンドホール及びハンドホール用継枠において、前記ガイド壁部を備えていなくて、外枠壁部を有するものであって、外枠壁部が内枠壁部に対して止水パッキンの必要圧縮変形量だけ高い構成とすれば、止水パッキンを過度に圧縮変形させることのない止水構造、換言すれば止水パッキンに必要以上の負担をかけることのない止水構造を簡単に実現できる。
【図面の簡単な説明】
【００４４】
【図１】本発明の第１参考例のハンドホールＡ1 と規格の大きさの蓋体Ｄ1 との分離状態の斜視図である。
【図２】ハンドホールＡ1 の平面図である。
【図３】ハンドホールＡ1 の上面開口１が規格の大きさの蓋体Ｄ1 で覆われる状態の部分斜視図である。
【図４】同じく部分拡大断面図（図２のＵ1 −Ｕ1 線拡大断面図）である。
【図５】ハンドホールＡ1 の上面開口１が規格よりも大きな蓋体Ｄ2 で覆われる状態の部分斜視図である。
【図６】同じく部分拡大断面図（図２のＵ1 −Ｕ1 線拡大断面図）である。
【図７】図２のＵ2 −Ｕ2 線拡大断面図である。
【図８】本発明の第１参考例のハンドホール用継枠Ｃ1 の一部を破断した斜視図である。
【図９】（イ）は、ハンドホール用継枠Ｃ1 の平面図であり、（ロ）は、（イ）のＶ−Ｖ線矢視図である。
【図１０】継枠Ｃ1 を二段重ねにして上面開口１を嵩上げしたハンドホールＡ1 の斜視図である。
【図１１】同じく地中埋設された状態の断面図である。
【図１２】同じくコーナー部を対角線に沿って破断した部分拡大断面図〔図９のＷ1 −Ｗ1 線拡大断面図〕である。
【図１３】継枠Ｃ1 を二段重ねにした状態の各辺の部分の拡大断面図〔図９のＷ2 −Ｗ2 線拡大断面図〕である。
【図１４】本発明の第２参考例のハンドホールＡ2 と第２参考例のハンドホール用継枠Ｃ2 と規格の大きさの蓋体Ｄ3 との分解斜視図である。
【図１５】ハンドホールＡ2 の平面図である。
【図１６】ハンドホールＡ2 の上面開口１’が規格の大きさの蓋体Ｄ3 で覆われた状態の部分斜視図である。
【図１７】同じく部分拡大断面図（図１５のＸ1 −Ｘ1 線拡大断面図）である。
【図１８】ハンドホールＡ2 の上面開口１’が規格よりも大きな蓋体Ｄ4 で覆われた状態の部分斜視図である。
【図１９】同じく部分拡大断面図（図１５のＸ1 −Ｘ1 線拡大断面図）である。
【図２０】図１５のＸ2 −Ｘ2 線拡大断面図である。
【図２１】ハンドホール用継枠Ｃ2 の斜視図である。
【図２２】（イ）は、ハンドホール用継枠Ｃ2 の平面図であり、（ロ）は、（イ）のＹ−Ｙ線断面図である。
【図２３】ハンドホール用継枠Ｃ2 を二段重ねにして上面開口１’が嵩上げされたハンドホールＡ2 のコーナー部の対角線方向に沿った部分拡大断面図〔図２２（イ）のＺ1 −Ｚ1 線部分拡大断面図〕である。
【図２４】同じく各辺の部分の拡大断面図〔図２２（イ）のＺ2 −Ｚ2 線部分拡大断面図〕である。
【符号の説明】
【００４５】
Ａ1 ，Ａ2 ：ハンドホール
Ｃ1 ，Ｃ2 ：ハンドホール用継枠
Ｄ1 ，Ｄ3 ：正規の大きさの蓋体
Ｄ3 ，Ｄ4 ：正規よりも大きさな蓋体
Ｈ0 ：内外の各枠壁部の高低差
Ｈ1 ，Ｈ2 ：ハンドホールの上面開口の嵩上げ高さ
Ｐ，Ｐ’：止水パッキン
１，１’：上面開口
５，５’：ハンドホールの内枠壁部
６，６’：ハンドホールの外枠壁部
８，８’：ハンドホールの水収容空間
１２，１２’：ハンドホールのガイド壁部
３２，３２’：継枠の内枠壁部
３３，３３’：継枠の外枠壁部
３５，３５’：継枠の水収容空間
３７，３７’：継枠のガイド壁部
【図１】
2008187893.tif 000003
【図２】
2008187893.tif 000004
【図３】
2008187893.tif 000005
【図４】
2008187893.tif 000006
【図５】
2008187893.tif 000007
【図６】
2008187893.tif 000008
【図７】
2008187893.tif 000009
【図８】
2008187893.tif 000010
【図９】
2008187893.tif 000011
【図１０】
2008187893.tif 000012
【図１１】
2008187893.tif 000013
【図１２】
2008187893.tif 000014
【図１３】
2008187893.tif 000015
【図１４】
2008187893.tif 000016
【図１５】
2008187893.tif 000017
【図１６】
2008187893.tif 000018
【図１７】
2008187893.tif 000019
【図１８】
2008187893.tif 000020
【図１９】
2008187893.tif 000021
【図２０】
2008187893.tif 000022
【図２１】
2008187893.tif 000023
【図２２】
2008187893.tif 000024
【図２３】
2008187893.tif 000025
【図２４】
2008187893.tif 000026